(57)【要約】  【課題】  模様は、転写フィルムによってなされている。即ち、その転写によって付けられた模様は平面状となっている。その結果、透明な外筒によってある程度の立体感は得られるものの、その立体感は微少なものにしか過ぎなかった。  【解決手段】  内部が透視可能な外軸の内側に内軸が挿着された軸筒であって、前記外軸を有色半透明な材質から構成すると共に、前記内軸の表面に４個の三角形状から構成される複数の菱形状の凹部を連続して形成した軸筒。【選択図】  図２
2008246885.tif 000002
【特許請求の範囲】
【請求項１】
内部が透視可能な外軸の内側に内軸が挿着された軸筒であって、前記外軸を有色半透明な材質から構成すると共に、前記内軸の表面に少なくとも２個の三角形状から構成される複数の菱形状の凹部を連続して形成したことを特徴とする軸筒。
【請求項２】
前記菱形状の凹部を４個の三角形状から構成したことを特徴とする請求項１記載の軸筒。
【請求項３】
前記菱形状を形成する４個の三角形状の連結部の少なくとも１つを隆起させたことを特徴とする請求項１、或いは、請求項２に記載の軸筒。
【請求項４】
前記内軸を光沢を有する表面としたことを特徴とする請求項１〜請求項３の何れかに記載の軸筒。
【発明の詳細な説明】
【技術分野】
【０００１】
本発明は、内部が透視可能な外軸の内側に内軸が挿着された軸筒に関する。
【背景技術】
【０００２】
外筒の内側に中芯を備えた筆記具であって、前記中芯に着色模様を施すとともに、外筒の少なくとも一部を透明として、前記着色模様を外筒の外側から視認可能に構成した筆記具が知られている。そして、前記の模様付けは、転写フィルムを用いた熱転写によって行われている。
【０００３】
【特許文献１】特開２００３−１１８２８７
【発明の開示】
【発明が解決しようとする課題】
【０００４】
しかし、前記模様は、転写フィルムによってなされている。即ち、その転写によって付けられた模様は平面状となっている。その結果、透明な外筒によってある程度の立体感は得られるものの、その立体感は微少なものにしか過ぎなかった。
【課題を解決するための手段】
【０００５】
本発明は、内部が透視可能な外軸の内側に内軸が挿着された軸筒であって、前記外軸を有色半透明な材質から構成すると共に、前記内軸の表面に４個の三角形状から構成される複数の菱形状の凹部を連続して形成したことを要旨とする。
【発明の効果】
【０００６】
本発明は、内部が透視可能な外軸の内側に内軸が挿着された軸筒であって、前記外軸を有色半透明な材質から構成すると共に、前記内軸の表面に４個の三角形状から構成される複数の菱形状の凹部を連続して形成したので、奥行き間のある良好な立体感を得ることができる。
【発明を実施するための最良の形態】
【０００７】
作用について説明する。４個の三角形状から構成される菱形状の凹部に進入した光線が、さまざまな方向に反射すると共に、複数の凹部によって連続的な反射が得られる。また、４個の三角形状の面部が規則的に形成されているため、前記光線の反射も規則的に得られる。
【０００８】
本発明の１例を図１〜図１２に示し説明する。黒や赤、青色などからなる有色半透明の外軸１の前方には、先部材２が螺合などの手段によって着脱自在に固定されているが、圧入や凹凸嵌合などの手段であっても良い。その先部材２の表面には突部２ａが長手方向に形成されているが、その突部２ａの後端部は外軸１の前方部まで延設されている。また、その突部２ａの近傍を除く表面には、幾何学的模様を形成する凹部２ｂが円周方向に渡って形成されている。前記突部２ａは、筆記するペン先２０ａの方向を指示しているため、ペン先２０ａの先端の認識力を向上させていると共に、また、円周方向の凹部２ｂは筆記する面の視認性を向上させている。
また、外軸１の前方部は、縮径部３が形成されており、その縮径部３にはゴム状弾性体などからなるグリップ部４が２色成形などの手段によって一体成形されているが、グリップ部を別部材として構成し縮径部３に挿着しても良いし、外軸１の表面にローレット加工を施すなどして滑り止め効果を発揮させても良い。そして、そのグリップ部材４の表面には、流線型の段部４ａが複数形成されていると共に、後端部はその流線型の段部に沿って傾斜（傾斜面部４ｂ）している。美観を向上させていると共に、グリップ部材４を把時した際の、指へのフィット感を良好なものとしている。
前記縮径部３の後方には、Ｔ字型の突部３ａが構成されており、その突部３ａにグリップ部４の内面に形成された凹溝（図示せず）が嵌まり込んでいる。これら、突部３ａと凹溝との嵌まり込み作用によりグリップ部４の縮径部３に対する端部からのめくれ現象や膨潤現象の防止効果が向上するものとなっている。
また、前記外軸１の前方部には、先部材２を螺合させるための雄ねじ部１ａが形成されており、その雄ねじ部１ａの後方には外軸１に対する先部材２の周方向に対する位置決めを行う突部１ｂが形成されており、その突部１ｂに係合し、周方向の回転が規制される突部（図示せず）が先部材２の内面後方に形成されている。そして、この先部材２の外軸１に対する位置決めがなされることによって、先部材２の突部２ａと後述するクリップとの位置決めもなされることになる。
【０００９】
外軸１の後部には、内軸５が挿着されており、そのうち軸５の後部には後述するクリップを挟み込む、尾冠６が形成されており、また、その尾冠６は外軸１の後端部から突出している。そして、その外軸１の後端部と尾冠６との間にはクリップ７の取り付け基部８が挟み込まれており、外軸１との固定部となっている。尚、外軸１とクリップ７の基部８との固定部は、互いに形成された傾斜面（傾斜面部８ａ、１ａ）となっており、前記グリップ部材４に形成された流線型の段部４ａなどと相まって、より一層、美観を向上させるものとなっている。
また、内軸５の外面後部には、菱形状の突起９が対向した位置に形成されており、前記外軸１に形成された貫通孔１０に嵌まり込んでいる。つまり、これら突起９の貫通孔１０に対する嵌合により、内軸５の外軸１に対する脱落が防止されているのである。
【００１０】
次に、前記内軸５について詳述する。内軸５の表面には、複数の菱形状の凹部１１が連続して形成されているが、その菱形状の凹部１１は４個の三角形の面部１１ａから構成される。そして、それら４個の三角形の面部１１ａの内部に位置する連結部の一辺は、外方向に向けて隆起して連結されているものの、凹部１１の中央部に向かって深く形成されている。そして、内部に位置する他方の辺は、凹部１１の最深部で連結されている。つまり、菱形状の凹部１１は中央部に向かって徐々に深く形成されている。言い換えると、菱形上の凹部１１の外周に位置する４個の辺１１ｂが高く形成されていると共に、その４個の辺１１ｂが隣り合う菱形状の凹部１１との連結部ともなっている。更に詳述すると、各菱形状の凹部１１を構成する三角形の面部１１ａは、前記４個の辺１１ｂから中央部に向かってに徐々に深く形成されている。即ち、三角形の面部１１ａは中央部に向かって低くなる傾斜面となっている。また、それら三角形の面部１１ａを含む菱形状の凹部１１は、規則的に連結形成されている。そして、４個の三角形状の面部が規則的に形成されていることと相まって、４個の三角形状から構成される菱形状の凹部１１も規則的に、かつ、連続的に形成されているため、外軸１の外部から侵入する光線の反射も規則的に得られる。
更に、菱形状の凹部１１を表面に有する内軸５の表面は、光が反射し易いように光沢を有する表面となっている。本例においては、材質自体の特性、並びに、成形する金型で光沢を得るものとなっているが、光沢性のあるクリアー塗装などを内軸５の表面に施しても良く、また、樹脂メッキや転写などによって光沢処理を施すなどしても良い。尚、内軸５の菱形状の凹部１１が形成されている最大外接円形は、外軸１の内径よりも若干、小さく形成されている。即ち、内軸５と外軸１との間には隙間Ｓが形成されている。内軸５を外軸１に挿着する際の擦り傷などを防止しているのである。また、隙間Ｓを設けることによって、菱形状の凹部１１の頂部１１ｃからの光線の反射も得ることができ、前記三角形の面部１１ａからの光線の反射とも相まって、より奥行き間のある立体感が得られる。
尚、本実施例においては、菱形状の凹部１１を４個の三角形の面部１１ａから構成しているが、２個の三角形の面部から構成しても良い。前記４個の三角形の面部よりも反射角の種類が減少してしまうが、十分な奥行き間のある立体感が得られる。
【００１１】
本実施例の軸筒の内部には、筆記体が出没可能に配置されている。その筆記体の出没動作は、デビットカム機構と称される出没機構によってなされている。以下、具体的に詳述する。
前記内軸５の内面の後方には、カム溝１２とカム突起１３が長手方向に形成されており、そのカム突起１３の前端面には、傾斜したカム面１３ａが形成されている。内軸５の内面の中間部には、４個の突起１４が等間隔な位置に形成されている。この４個の突起１４は、後述する回転子の内軸５からの脱落を防止するものとなっている。
そして、内軸５の後部には、摺動子１５が挿着されている。その摺動子１５の外周には、前記カム溝１２内を摺動する摺動突起１６が形成されており、その摺動突起１６の後端面には、前記カム面１３と係合する傾斜したカム面１６ａが形成されている。
また、回転子１５の後部には、ノック部材１７が配置されており、その後部を内軸５の後端開口部から突出させている。そのノック部材１７の前端部には、前記回転子１５のカム面１６ａと係合し、その回転子１５を押圧・回転すべく三角形状の山形傾斜面１８が形成されている。そして、ノック部材１７の前方外周面には、前記内軸５のカム溝１２を摺動する突起１９が形成されている。
符号２０は、油性ボールペンや水性ボールペン、或いは、シャープペンシルユニットなどからなる筆記体であって、その筆記体２０はコイルスプリングなどの弾発部材２１によって後方に向けて付勢されている。尚、筆記体２０が弾発部材２１によって付勢されることにより、前記回転子１５やノック部材１７も後方に向けて付勢されている。
【００１２】
尚、本実施例においては、外軸１の外面、並びに、内面を平滑な円周面としているが、例えば、内周面に内軸５の表面と同様な菱形状の凹部、或いは、突部を形成しても良い。しかし、内軸５からの光線の反射を妨げないために、内軸５と外軸１との位置合わせをするのが好ましい。
また、菱形状の凹部１１を形成した内軸５を外軸１に挿着しているため、言い換えると、菱形状の凹部１１を外軸１によって囲繞しているため、凹部１１の感触が指に伝わらず、良好な筆記感が得られるものともなっている。
【図面の簡単な説明】
【００１３】
【図１】本発明の１例を示す正面外観図。
【図２】巣１の側面図。
【図３】図２の上面図。
【図４】図１の縦断面図。
【図５】外軸の外観側面図。
【図６】図５のＡ−Ａ線要部断面図。
【図７】図５のＢ部拡大要部斜視図。
【図８】内軸の外観斜視図。
【図９】図８の縦断面図。
【図１０】図８の要部拡大図。
【図１１】ノック部材の外観斜視図。
【図１２】回転子の外観斜視図。
【符号の説明】
【００１４】
１      外軸
２      先部材
３      縮径部
４      グリップ部
５      内軸
６      尾冠
７      クリップ
８      基部
９      突起
１０    貫通孔
１１    凹部
１２    カム溝
１３    カム突起
１４    突起
１５    回転子
１６    摺動突起
１７    ノック部材
１８    山形傾斜面
１９    突起
２０    筆記体
【図１】
2008246885.tif 000003
【図２】
2008246885.tif 000004
【図３】
2008246885.tif 000005
【図４】
2008246885.tif 000006
【図５】
2008246885.tif 000007
【図６】
2008246885.tif 000008
【図７】
2008246885.tif 000009
【図８】
2008246885.tif 000010
【図９】
2008246885.tif 000011
【図１０】
2008246885.tif 000012
【図１１】
2008246885.tif 000013
【図１２】
2008246885.tif 000014